(57)【要約】【課題】施工が容易に行え、また、コストも安価に抑えることができ、部品点数も増やすことなく緩み防止を行うことのできる座金を提供する。【解決手段】部材をボルト６とナット７で締結するときに緩み防止として用いられる座金１であって、本体部２から上方に起立している突起部３…が少なくとも１つ以上設けられており、ナット７締結時に、前記突起部３…が軸力方向に反力を生じさせることにより、緩み防止を行うことができることを特徴とする緩み防止機構付座金により解決される。【選択図】    図１
2009058030.tif 000002
【特許請求の範囲】
【請求項１】
部材をボルトとナットで締結するときに緩み防止として用いられる座金であって、
本体部から上方に起立している突起部が少なくとも１つ以上設けられており、
ナット締結時に、前記突起部が軸力方向に反力を生じさせることにより、緩み防止を行うことができることを特徴とする緩み防止機構付座金。
【請求項２】
接着剤を塗布するために、複数の溝部を有する塗布部が少なくとも１箇所以上設けられていることを特徴とする請求項１記載の緩み防止機構付座金。
【請求項３】
前記突起部が複数設けられ、前記突起部が同一円周上に設けられていることを特徴とする請求項１又は２記載の緩み防止機構付座金。
【請求項４】
ボルトを挿通するための挿通孔に、少なくとも１つ以上の内向きの爪部が形成されていることを特徴とする請求項１至乃３のいすれか一つに記載の緩み防止機構付座金。
【発明の詳細な説明】
【技術分野】
【０００１】
本発明は、建築部材などをボルトとナットで締結するために用いられる座金に関する。
【背景技術】
【０００２】
従来、建築部材をボルトとナットで締結した場合の緩みを防止するために、ボルトの螺子部に接着剤を塗布してナットと強固に結合する方法がとられている。
【０００３】
また、緩み防止手段として、ワッシャ全体に凹凸を設けると共にナットにもワッシャと当接する面全体にワッシャの凹凸に噛み合うように凹凸を設け、ナット締結時に互いが噛み合うことにより、緩み防止を行うことができるワッシャ及びナットが開示されている。
【０００４】
さらに、ワッシャと緩み防止専用の固着具を使用して、緩み止めを行うことができるワッシャ及び緩み防止具が開示されている。
【特許文献１】特開２００３−１２０６４３号公報
【特許文献２】特開平８−４７４３号公報
【発明の開示】
【発明が解決しようとする課題】
【０００５】
しかし、上記の緩み防止手段では、接着剤を直接螺子部に塗布するので、強固に連結されるが、抵抗が大きく施工時において、ナットを手で回せず、煩わしいという問題がある。
【０００６】
また、上記のワッシャを用いた緩み防止手段では、ナットをワッシャの凹凸にあわせて加工する必要があったり、ワッシャ以外の部材が必要となるので、コストが高くなるとともに、部材点数が増えるという問題がある。
【０００７】
本発明は、上記の問題点に鑑み、施工が容易に行え、また、コストも安価に抑えることができ、部品点数も増やすことなく緩み防止を行うことのできる座金を提供することを目的とする。
【課題を解決するための手段】
【０００８】
上記の課題は部材をボルトとナットで締結するときに緩み防止として用いられる座金であって、本体部から上方に起立している突起部が少なくとも１つ以上設けられており、ナット締結時に、前記突起部が軸力方向に反力を生じさせることにより、緩み防止を行うことができることを特徴とする緩み防止機構付座金により解決される。
【０００９】
この緩み防止機構付座金によれば、本体部から上方に起立している突起部が少なくとも１つ以上設けられており、ナット締結時に前記突起部が軸力方向に反力を生じさせることにより、緩み防止を行うことができるようになされているので、他の部材を用いることなく、強固に緩みを防止でき、また、座金以外に加工を施す必要もないので、コストを安価に抑えることができる。
【００１０】
接着剤を塗布するために、複数の溝部を有する塗布部が少なくとも１箇所以上設けられている場合は、塗布部が複数の溝部が形成されていることにより、平滑だと接着しにくい接着剤を簡易につけることができ、ボルトの螺子部に塗布する必要がなくなり、施工が容易に行える。
【００１１】
また、前記突起部が複数設けられ、前記突起部が同一円周上に設けられている場合は、ナット締結時の反力が増し、より強固に緩み防止が行える。
【００１２】
さらに、ボルトを挿通するための挿通孔に、少なくとも１つ以上の内向きの爪部が形成されている場合は、前記凸部がボルトの螺子溝部に嵌入することにより、緩み回転方向への回転を規制し、緩み防止を行うことができる。
【発明の効果】
【００１３】
本発明は以上のとおりであるから、施工が容易に行え、部品点数を増やすことなく、コストを安価に抑えることができる。
【発明を実施するための最良の形態】
【００１４】
次に、本発明の実施最良形態を図面に基づいて説明する。
【００１５】
図１〜図２に示す第１実施形態では、六角ボルト６とナット７を締結するのに使用する座金１が、図１（イ）〜（ハ）に示すように本体部２から上方に起立した突起部３…が同一円周上に４つ設けられており、突起部３…は、ナット７の締結回転方向に沿って反り返るように起立しており、接着剤９を塗布する塗布部４が複数の溝部を有しており、中心部には、丸孔のボルト挿通孔５が設けられている。
【００１６】
図２（イ）〜（ロ）に示すように、締結部材８を締結するのに、六角ボルト６を挿通し、ナット７で締め付けを行う。そのとき、ナットと締結部材８の間に座金１を介設し、ナット７と六角ボルト６を締結する。
【００１７】
この場合、本体部２に突起部３…が設けられているが、ナット７の締結回転方向に沿って反り返るように起立しているので、ナット７の締結回転方向の回転を防ぐことはない。
また、図２（ロ）に示すように、ボルト６とナット７を締結後、突起部３…がナット７の締結回転方向に沿って反り返るようになされているので、突起部３…による反力により軸方向にテンションがかかり、ナットの回転方向への力を抑制し、ナット７が緩み方向に回転しようとするのを防ぐことができる。
【００１８】
さらに、本体部２の両面に設けられた塗布部４に接着剤９が塗布されているため、接着剤９とナット７とが強固に連結され、突起部３…と共に緩み止めの効果を得ることができる。なお、塗布部４は、複数の溝からなっているので、平滑の場合と比較して、容易に本体部２に塗布することができ、また、接着力も向上する。
【００１９】
次に図３に示す第２実施形態では、ボルト挿通孔１０が内側方向に爪部１１を３つ有しており、その他は、第１実施形態と同様である。
【００２０】
本実施形態では、ボルト挿通孔１０が内側方向に爪部１１を３つ設けているので、ナット７締結後、爪部１１が六角ボルト６の螺子溝部に嵌入し、緩み防止方向に回転することを規制し、突起部３…及び接着剤９と共に六角ボルト６とナット７の締結の緩み防止を行うことができる。
【００２１】
以上に、本発明の実施形態を示したが、本発明はこれに限られるものではなく、発明思想を逸脱しない範囲で各種の変更が可能である。例えば、突起部を４つ設けることを示したが、突起部に数の限定はない。
【００２２】
また、上記実施形態では、塗布部を片面に設けると示したが、両面でもよく、また、一面に２箇所以上設けてもよい。
【図面の簡単な説明】
【００２３】
【図１】本発明の第１実施形態を示すものであり、（イ）は、座金の斜視図であり、（ロ）は突起部の断面側面図であり、（ハ）は塗布部の断面側面図である。
【図２】本発明の第１実施形態を示すものであり、（イ）は締結状態を示す斜視図であり、（ロ）は締結状態を示す側面図である。
【図３】本発明の第２実施形態を示す、座金の斜視図である。
【符号の説明】
【００２４】
１・・・座金
２・・・本体部
３・・・突起部
４・・・塗布部  
５、１０・・・ボルト挿通孔
６・・・六角ボルト
７・・・ナット
８・・・締結部材
９・・・接着剤
１１・・・爪部
【図１】
2009058030.tif 000003
【図２】
2009058030.tif 000004
【図３】
2009058030.tif 000005